(57)【要約】【課題】キャビネットの背板に硬質の化粧板が用いられている場合でも、その背板に対するねじ込みトルクを低減させて、ねじ部が壁下地材に確実に締結されている手応えを得やすくした木ねじと、該木ねじを用いたキャビネット等の固定構造を提供する。【解決手段】本考案の木ねじ１は、平坦な座面を有する頭部１２、ラッパ状の首下部１３、ねじ山のない円筒部１４、平目のローレット部１５、不完全ねじ部１６、大径の第一ねじ山１７１と小径の第二ねじ山１７２とからなるねじ部１７を有する。ローレット部１５は、第一ねじ山１７１よりも小径で、第二ねじ山１７２および円筒部１４よりも大径であり、かつ、円筒部１４よりも短寸となるように形成されている。この木ねじ１がキャビネットの背板２を貫通して壁下地材３１に締結された状態で、ローレット部１５が背板２と壁面との当接面を超えない位置に保持される。【選択図】  図２
0003215000.tif 000002
【実用新案登録請求の範囲】
【請求項１】
軸部と、その一端に設けられた頭部と、を有し、
前記頭部は、座面の外周側が平坦に形成されるとともに、座面の中央部がラッパ状の首下部を介して軸部に接続され、
前記軸部は、
前記首下部に連続する、ねじ山のない円筒部と、
前記円筒部の先端側に連続する、平目のローレット溝が形成されたローレット部と、
前記ローレット部の先端側に微少な不完全ねじ部を介して連続するねじ部と、
を有して、
前記ねじ部は、大径の第一ねじ山と小径の第二ねじ山とからなる二条ねじが前記軸部の全長の過半部分にわたって形成されるとともに、その先端には切り刃を有する尖り先部が形成され、
前記ローレット部が、前記第一ねじ山の外径よりも小径で、前記第二ねじ山および前記円筒部の外径よりも大径であり、かつ、前記円筒部よりも短寸となるように形成された
ことを特徴とする木ねじ。
【請求項２】
キャビネット等の背板を壁面に当接させ、前記背板のオモテ側から壁内の壁下地材に木ねじをねじ込んで固定するキャビネット等の固定構造において、
前記背板は、合板、パーティクルボード、ＭＤＦ等からなる木質基板のオモテ面に、前記木質基板よりも表面硬度が高い化粧板を張り重ねて形成され、
前記木ねじは、軸部と、その一端に設けられた頭部と、を有し、
前記頭部は、座面の外周側が平坦に形成されるとともに、座面の中央部がラッパ状の首下部を介して軸部に接続され、
前記軸部は、
前記首下部に連続する、ねじ山のない円筒部と、
前記円筒部の先端側に連続する、平目のローレット溝が形成されたローレット部と、
前記ローレット部の先端側に微少な不完全ねじ部を介して連続するねじ部と、
を有して、
前記ねじ部は、大径の第一ねじ山と小径の第二ねじ山とからなる二条ねじが前記軸部の全長の過半部分にわたって形成されるとともに、その先端には切り刃を有する尖り先部が形成され、
前記ローレット部が、前記第一ねじ山の外径よりも小径で、前記第二ねじ山および前記円筒部の外径よりも大径であり、かつ、前記円筒部よりも短寸となるように形成されてなり、
前記木ねじの頭部が前記背板のオモテ面に着座した状態で、
前記ねじ部が前記背板を通り抜けて前記壁下地材に締結されているとともに、
前記ローレット部が前記背板と前記壁面との当接面を超えない位置に保持されている
ことを特徴とするキャビネット等の固定構造。
【考案の詳細な説明】
【技術分野】
【０００１】
本考案は、主として流し台や洗面化粧台等のキャビネットを壁面に固定するために用いられる木ねじと、その木ねじを用いたキャビネット等の固定構造に関する。
【背景技術】
【０００２】
流し台や洗面化粧台等のキャビネットを壁面に沿って設置する際、キャビネットの背板を壁面に木ねじで固定することが多い。そこで、その木ねじに求められる機能である壁下地材に対しての引っ掛かり率を高め、引き抜き強度を大きくして保持力を増加させることができ、かつ、キャビネットの壁面からの浮きを防止することのできる木ねじが、特許文献１に開示されている。
【０００３】
該文献に開示された木ねじを図６に示す。この木ねじ９は、ねじ軸部９１と、その直径の２倍以上の直径を有する大皿状のねじ頭部９２と、ねじ頭部９２とねじ軸部９１との接続部分に形成された円錐台状の傾斜面９３と、その傾斜面９３に突設された複数のリブ９４と、ねじ軸部９１の軸径よりも若干大径に形成されたローレット刃状のナール部９５と、ナール部９５とねじ軸部９１の先端との間に形成されたねじ山９６と、ねじ山９６の先端に形成された略三日月状の先割れ尖り先部９７と、を具備している。ねじ山９６は、第一ねじ山９６１と、第一ねじ山９６１より呼び径の小さい第二ねじ山９６２とが交互に並んで設けられたダブルリードのねじ山（二条ねじ）として形成されている。また、先割れ尖り先部９７は、先端の尖り先が被締結部材に食い付いた後、回転によって切削された切り屑を圧縮せずに排出するように形成されている。
【０００４】
この木ねじ９を用いたキャビネットの固定構造を図７に示す。キャビネットの背板２には、普通合板、パーティクルボード、ＭＤＦ（中密度繊維板）等からなる木質基板２１のオモテ面（キャビネットの内側面）に、ポリエステル化粧合板、塩化ビニル化粧合板、オレフィンシート化粧合板等の化粧板２２を張り重ねたものが従来、多用されている。また、キャビネットを固定する壁面は、木材からなる間柱や胴縁、合板（普通合板または構造用合板）、ＯＳＢ（配向性ストランドボード）等の構造用パネル、あるいは軽量鉄骨製スタッド等からなる壁下地材３１に石膏ボード３２を止め付け、そのオモテ面にキッチンパネル３３やクロス等の壁装材を張設して構成されていることが多い。そして、壁面に当接させたキャビネットの背板２に、オモテ側から壁下地材３１に向けて木ねじ９がねじ込まれる。このとき、ねじ山９６の先端に形成された先割れ尖り先部９７が、各部材の切り屑を後方に排出しながら各部材を順次貫通して壁下地材３１に食い付き、ねじ山９６が壁下地材３１に引っ掛かって、十分な引き抜き強度を発揮する。また、ねじ軸部９１のねじ谷径よりも若干大径に形成されたナール部９５が、キャビネットの背板２に形成されたねじ孔を少し拡径しながら前進することで、ねじ込み抵抗を軽減させる作用をなす。さらに、ねじ頭部９２とねじ軸部９１との接続部分に形成されたリブ９４付きの傾斜面９３が、ねじ込み完了後の空転を防ぐとともに、ねじ頭部９２の浮きを防止する。
【先行技術文献】
【特許文献】
【０００５】
【特許文献１】特開２００６−３０８０７９号公報
【考案の概要】
【考案が解決しようとする課題】
【０００６】
キャビネットを壁面に固定する作業は通常、壁面にキッチンパネル３３やクロス等の壁装材を張設してから行われる。したがって、木ねじ９を締結させる壁下地材３１の位置が、外観からは判らない。新築建物の場合は、施工図面等によって壁下地材３１の種類や位置を把握することができるので、その位置に合わせて木ねじ９をねじ込むことができるが、リフォームの場合は、そのような手掛かりが無い。そこで、施工現場では、壁面を木槌等で叩き、場合によっては針刺し式や電子式の下地探査具を用いるなどして壁下地材３１の位置を探りながら、ねじ止め位置を決めている。そして、実際に木ねじ９を打ち込んだときの手応え（ねじ込みトルクの感触）が軽いと、壁下地材３１から外れていることに気づくので、その木ねじ９を抜いて再度、壁下地材３１が有りそうな位置に打ち直す、という作業を行っている。
【０００７】
ところが近年、建築基準法等の防火基準が強化されたことにより、キャビネットの背板２に、従来よりも表面硬度が高く耐熱性に優れた材料が用いられるようになってきた。例えば、高圧メラミン化粧合板や、内装用化粧ハードボード（硬質繊維板）等である。この種の化粧板２２を背板２に用いたキャビネットを、前記従来の木ねじ９で壁面にねじ止めしようとすると、化粧板２２が木ねじ９のねじ込みトルクを従来よりも増大させるため、仮に木ねじ９の先端が壁下地材３１から外れていても作業者がそれに気付きにくい。また、壁下地材３１のない位置に打ち込んだ木ねじ９を少し緩める向きに回すと、通常は木ねじ９が空転するのであるが、斜めに形成されたナール部９５と背板２との摩擦により、ねじが効いているような感触で木ねじ９が後退するため、木ねじ９が壁下地材３１に達しているかのような錯覚を招く。さらに、ねじ頭部９２とねじ軸部９１との接続部分に形成された円錐台状の傾斜面９３を背板２の表面に食い込ませる状態でねじ込みが完了するため、これによってもねじ込み完了直前のトルクが増大して、それを壁下地材３１に対しての締結力と錯覚してしまいやすい。
【０００８】
このような理由で万一、木ねじ９が壁下地材３１にしっかりと締結されていない状態に作業者が気付かないままキャビネットの固定作業を終えてしまうと、当然ながら十分な保持力が得られず、後からキャビネットが脱落してしまうことにもなりかねない。
【０００９】
本考案は、かかる事情に鑑みてなされたもので、キャビネットの背板に硬質の化粧板等が用いられている場合でも、その背板に対するねじ込みトルクを低減させて、ねじ部が壁下地材に確実に締結されている手応えを得やすくした木ねじを提供するものである。
【００１０】
あわせて本考案は、かかる木ねじの特性を好適に活かしてキャビネット等を壁面にしっかりと固定するための固定構造を提供するものである。
【課題を解決するための手段】
【００１１】
前述の目的を達成するため、本考案に係る木ねじは、軸部と、その一端に設けられた頭部と、を有し、前記頭部は、座面の外周側が平坦に形成されるとともに、座面の中央部がラッパ状の首下部を介して軸部に接続され、前記軸部は、前記首下部に連続する、ねじ山のない円筒部と、前記円筒部の先端側に連続する、平目のローレット溝が形成されたローレット部と、前記ローレット部の先端側に微少な不完全ねじ部を介して連続するねじ部と、を有して、前記ねじ部は、大径の第一ねじ山と小径の第二ねじ山とからなる二条ねじが前記軸部の全長の過半部分にわたって形成されるとともに、その先端には切り刃を有する尖り先部が形成され、前記ローレット部が、前記第一ねじ山の外径よりも小径で、前記第二ねじ山および前記円筒部の外径よりも大径であり、かつ、前記円筒部よりも短寸となるように形成された、との構成を採用する。
【００１２】
この構成によれば、固定対象物（例えば、キャビネットの背板等）にねじ込まれた木ねじのねじ部が該固定対象物を通り抜けて、その先端が支持材（例えば、壁内の壁下地材等）へと進入するあたりで、木ねじのローレット部が固定対象物に形成されたねじ孔をさらに削って拡径する。ローレット部は、従来の木ねじに比べて短く形成されており、ローレット部の後方（頭部側）はローレット部よりも小径の円筒部となされているので、ローレット部によって拡径されたねじ孔と、ローレット部よりも頭部側の部分との摩擦抵抗が小さくなって、１本の木ねじのねじ込み過程における後半のねじ込みトルクが従来よりも低減される。これにより、ねじ部の締結力が支持材に対して集中的に作用することとなり、作業者は、その手応えから、ねじ部が支持材に対して確実に締結されているか否かを錯覚することなく判断することができるようになる。
【００１３】
また、本考案に係るキャビネット等の固定構造は、壁面に当接させたキャビネット等の背板のオモテ側から、壁内の壁下地材に向けて前述の構成に係る木ねじをねじ込んで固定するキャビネット等の固定構造であって、前記木ねじの頭部が前記背板のオモテ面に着座した状態で、前記ねじ部が前記背板を通り抜けて前記壁下地材に締結されているとともに、前記ローレット部が前記背板と前記壁面との当接面を超えない位置に保持されている、ものとして特徴づけられる。
【００１４】
この構成によれば、背板にねじ込まれた木ねじのねじ部が背板を通り抜け、その先端が壁面の表層を構成する石膏ボード等の壁材から、間柱、胴縁、合板、軽量鉄骨製スタッド等からなる壁下地材へと進入するあたりで、木ねじのローレット部が背板に形成されたねじ孔をさらに削って拡径する。ローレット部は、従来の木ねじに比べて短く形成されており、ローレット部の後方（頭部側）はローレット部よりも小径の円筒部となされているので、ローレット部によって拡径されたねじ孔と、ローレット部よりも頭部側の部分との摩擦抵抗が小さくなって、１本の木ねじのねじ込み過程における後半のねじ込みトルクが従来よりも低減される。これにより、ねじ部の締結力が壁下地材に対して集中的に作用することとなり、キャビネット等の背板に表面硬度の高い材料が用いられている場合でも、作業者は、ねじ部が支持材に対して確実に締結されている手応えを得ることができるようになる。そして、木ねじの頭部が背板のオモテ面に着座した状態では、ねじ部が壁下地材にしっかりと食い付くとともに、ローレット部が背板と壁面との当接面を超えない位置で止まるので、壁面側のねじ孔を必要以上に拡径することなく、ねじ止め作業を完了することができる。その結果、キャビネット等が良好な保持力をもって壁面にしっかりと固定される。
【考案の効果】
【００１５】
本考案の木ねじは、軸部の先端側の過半部に形成されたねじ部が固定対象物（例えば、キャビネットの背板等）を通り抜けて支持材（例えば、壁内の壁下地材等）へと進入するあたりで、ねじ部の後端側に設けられた短寸のローレット部が固定対象物に形成されたねじ孔を削って拡径することにより、ローレット部よりもさらに後端側に設けられた木ねじの円筒部と固定対象物との摩擦抵抗が小さくなって、ねじ込み過程の後半におけるねじ込みトルクが低減されるように構成されている。したがって、この木ねじを用いることにより、作業者は、特にねじ込み過程の後半において、その手応えから、ねじ部が支持材に対して確実に締結されているか否かを的確に判断することができるようになる。その結果、手応えの錯覚による固定不良、といった施工トラブルが回避される。
【００１６】
また、本考案のキャビネット等の固定構造によれば、前述の作用によって、ねじ部が壁下地材に確実に締結されるので、背板に表面硬度の高い材料が用いられているキャビネット等でも、壁面にしっかりと固定される。
【図面の簡単な説明】
【００１７】
【図１】本考案の実施の形態に係る木ねじの上面図（ａ）および正面図（ｂ）である。
【図２】前記木ねじを用いたキャビネットの固定構造を示す断面図である。
【図３】従来の木ねじおよび本考案に係る木ねじの、ねじ込みトルク試験の概略を示す説明図である。
【図４】従来の木ねじおよび本考案に係る木ねじの、締結材料Ａに対するねじ込みトルク試験の結果を対比して表したグラフである。
【図５】従来の木ねじおよび本考案に係る木ねじの、締結材料Ｂに対するねじ込みトルク試験の結果を対比して表したグラフである。
【図６】特許文献１に開示された従来の木ねじの上面図（ａ）および正面図（ｂ）である。
【図７】図６の木ねじを用いたキャビネットの固定構造を示す断面図である。
【考案を実施するための形態】
【００１８】
以下、本考案の実施の形態について、図面を参照しつつ説明する。
【００１９】
＜木ねじの構成＞
図１は、本考案の実施の形態に係る木ねじを示している。例示した木ねじ１は、軸部１１と、その一端に設けられた上面視円形の頭部１２と、を有している。
【００２０】
頭部１２は、径が大きくて厚みが比較的小さく、座面の外周側が平坦な、平頭、低頭、丸平頭、トラス、ブレジャ、シンワッシャ、フラットウェハ等の形状をなしている。座面の中央部にはラッパ状をなす小径の首下部１３が形成され、その首下部１３を介して頭部１２と軸部１１とが接続されている。頭部１２の頂面には、ドライバービットやレンチ等の工具を係合させる十字穴、六角穴、四角穴等が形成されている。
【００２１】
また、頭部１２には、施工後に合成樹脂製のカラーキャップ４（図２参照）が嵌装されることがあることから、そのカラーキャップ４を外れにくくするため、頭部１２の厚み方向における中央部付近よりも軸部１１側の周縁が若干、縮径するように形成されている。
【００２２】
軸部１１は、首下部１３に連続する、ねじ山のない円筒部１４と、円筒部１４の先端側に連続するローレット部１５と、ローレット部１５の先端側に、微少な不完全ねじ部１６を介して連続するねじ部１７と、を有している。ここでの、不完全ねじ部１６の「微少な」長さの目安は、ねじ山の０．５ピッチ以下である。
【００２３】
ねじ部１７は、大径の第一ねじ山１７１と小径の第二ねじ山１７２とが同ピッチで交互に並ぶ二条ねじとなされ、軸部１１の全長の先端側の過半部分（実用的には先端側２／３ないし３／４の範囲）にわたって形成されている。ねじ部１７の先端には、正面視弓形で断面略Ｖ字形の切り刃１８を有する尖り先部１９が形成されている。
【００２４】
ローレット部１５は、その長さ（ａ３）が円筒部１４の長さ（ａ２）よりも短く、その外径（ｄ３）が円筒部１４の外径（ｄ２）および第二ねじ山１７２の外径（ｄ５）よりは大きくて、第一ねじ山１７１の外径（ｄ４）よりは小さくなるように形成されている。ローレット部１５の周面には、軸部１１の軸心と平行に延びる比較的鋭利な平目のローレット溝が形成されている。
【００２５】
図１に示した木ねじ１は、一般的な流し台や洗面台等のキャビネットを一般的な壁面に固定する際に使用されることを想定して形成されており、各部の詳細な設計寸法は、例えば以下の通りである。
頭部１２の高さＫ：    ２．２５ｍｍ
ねじ部１７の全長（呼び長さ）Ｌ：    ５０ｍｍ、６３ｍｍ、７０ｍｍ
首下部１３の長さａ１：    ２．０ｍｍ
円筒部１４の長さａ２：    １０．０ｍｍ
ローレット部１５の長さａ３：    ５．０ｍｍ
不完全ねじ部１６の長さａ４：    ０．５ｍｍ
ねじ部１７の長さａ５：    ３２．５ｍｍ、４５．５ｍｍ、５２．５ｍｍ
切り刃１８の長さａ６:    １０．０ｍｍ
尖り先部の角度θ：    ３０度
頭部１２の外径ｄｋ：    １３．０ｍｍ
首下部１３の最大径ｄ１：    ５．５ｍｍ
円筒部１４の外径（線径）ｄ２：    ３．８５ｍｍ
ローレット部１５の外径ｄ３：    ４．３０ｍｍ
第一ねじ山１７１の外径（呼び径）ｄ４：    ５．３０ｍｍ、
第二ねじ山１７２の外径ｄ５：    ４．１０ｍｍ
ねじ部１７の谷径ｄ６：    ３．４０ｍｍ
二条ねじのピッチＰ１／Ｐ２：  ３．２／１．６ｍｍ
【００２６】
＜キャビネット等の固定構造＞
図２は、前述した木ねじ１を用いてキャビネットを壁面に固定する場合の固定構造を示している。
【００２７】
例示したキャビネットの背板２は、パーティクルボード等からなる木質基板２１のオモテ面（キャビネットの内側面）に化粧板２３を張り重ねて構成されている。ただし、化粧板２３には、従来よりも格段に表面硬度が高い、例えば高圧メラミン化粧合板等が用いられている。例示形態における化粧板２３の厚さは２．５ｍｍ、木質基板２１の厚さは１５．０ｍｍで、それらの合計は１７．５ｍｍである。
【００２８】
また、例示した壁面は、木材からなる間柱３４や胴縁等に合板３５を止め付けて壁下地材３１となし、そのオモテ面に石膏ボード３２を重ねて止め付け、さらにそのオモテ面に不燃性を有する壁装用クロス３６を張設して構成されている。例示形態における普通合板３５の厚さは１２．０ｍｍ、石膏ボード３２の厚さは１２．５ｍｍ、クロス３６の厚さは約１ｍｍである。
【００２９】
壁面に当接させたキャビネットの背板２に、オモテ側から木ねじ１がねじ込まれると、ねじ部１７の先端に形成された切り刃１８を有する尖り先部１９が、背板２を構成する化粧板２３および木質基板２１、さらにクロス３６、石膏ボード３２を順次貫通して、壁下地材３１を構成する普通合板３５に達し、第一ねじ山１７１と第二ねじ山１７２とからなるねじ部１７が普通合板３５に食い付く。
【００３０】
ねじ部１７が普通合板３５へと進入するあたりで、頭部１２寄りに形成されたローレット部１５が背板２のオモテ面に達する。そして、第二ねじ山１７２よりも大径となるように形成されたローレット部１５が、ねじ部１７の貫通によって背板２に形成されたねじ孔２４を、さらに拡径しながら前進する。このローレット部１５は、従来の木ねじ１（図６）に形成されたナール部９５に比べて大径かつ短寸に形成されており、しかも、ローレット部１５の後方（頭部１２側）はローレット部１５よりも小径で、ねじ山や凹凸のない円筒部１４となっている。つまり、前述した木ねじ１各部の径の大小関係が、［ｄ６＜ｄ２＜ｄ５＜ｄ３＜ｄ４］となっている。したがって、外径がｄ３のローレット部１５によって拡径された背板２のねじ孔２４と、ローレット部１５よりも頭部１２側の、外径がｄ２の円筒部１４との摩擦抵抗はきわめて小さくなり、１本の木ねじ１のねじ込み過程における後半のねじ込みトルクが従来よりも大幅に低減される。これにより、ねじ部１７の締結力が、壁下地材３１を構成する普通合板３５や、その先にある間柱３４等に対して集中的に作用することとなる。その結果、作業者は、キャビネットの背板２に表面硬度の高い化粧板２３等が用いられている場合でも、ねじ込み時の手応えから、ねじ部１７が壁下地材３１に対して確実に締結されているか否かを的確に判断し、もし手応えが小さい場合は、壁下地材３１から外れているものとして打ち直しをすることができるようになる。
【００３１】
また、本考案の木ねじ１は、ローレット部１５に形成されたローレット溝が軸部１１の軸心と平行に延びる平目なので、ねじ部１７の先端が壁下地材３１から外れている状態で締結工具を逆転させると、木ねじ１が空転する。このような作用によっても、ねじ込み時の手応えによる作業者の判断精度が向上する。
【００３２】
ねじ部１７の全体が背板２を通り抜けて、ねじ部１７の先端ないし中間部分が壁下地材３１にしっかりと締結され、木ねじ１の頭部１２が背板２のオモテ面に着座した状態では、ローレット部１５が背板２と壁面（クロス３６）との当接面を超えない位置で止まる。つまり、本考案の木ねじ１は、首下部１３から不完全ねじ部１６までの長さ［ａ１＋ａ２＋ａ３＋ａ４］が、キャビネットの背板２の厚さと同寸か、それよりも僅かに小さくなるように設計されている。したがって、ローレット部１５が壁面側のねじ孔を必要以上に拡径することはない。このような取付状態が保持されることにより、キャビネットが良好な締結力をもって壁面にしっかりと固定される。
【００３３】
さらに、本考案の木ねじ１は、首下部１３に従来のようなリブ（フレキ）が形成されていないので、キャビネットの背板２に表面硬度の高い化粧板２３が用いられている場合でも、木ねじ１の頭部１２が背板２に着座する際のねじ込みトルクの急上昇を生じにくい。
【００３４】
また、本考案の木ねじ１にあっては、頭部１２の径ｄｋがねじ部１７の呼び径ｄ４の２倍を超える十分な大きさを有しているので、キャビネットの背板２をしっかりと押圧することができる。
【００３５】
＜ねじ込みトルク比較試験＞
図１に示した本考案に係る木ねじ１と、図６に示した従来の木ねじ９とを、同じ材料に締結した場合のねじ込みトルクを比較分析して、施工性を検証する試験を行った。その試験方法および試験結果を以下に説明する。
【００３６】
試験に使用した本考案に係る木ねじ１は、設計寸法が前述の通りで、ねじ部１７の全長Ｌ＝６３ｍｍ、ねじ部１７の長さａ５＝４５．５ｍｍのものを使用した。
【００３７】
また、図６に示した従来の木ねじ９は、設計寸法が以下のものを使用した。
頭部９２の高さＫ：    ２．６ｍｍ
ねじ部９６の全長（呼び長さ）Ｌ：    ６０ｍｍ
傾斜面９３〜ナール部９５の長さａ７：    １５．０ｍｍ
ねじ部９６の長さａ５：    ４５．０ｍｍ
切り刃の長さａ６:    １０．０ｍｍ
尖り先部９７の角度θ：    ３０度
頭部９２の外径ｄｋ：    １３．０ｍｍ
ナール部９５の外径（≒線径）ｄ２：    ３．８０ｍｍ
第一ねじ山９６１の外径（呼び径）ｄ４：    ５．３０ｍｍ、
第二ねじ山９６２の外径ｄ５：    ４．１０ｍｍ
ねじ部９６の谷径ｄ６：    ３．４０ｍｍ
二条ねじのピッチＰ１／Ｐ２：  ３．１８ｍｍ／１．５９ｍｍ
【００３８】
つまり、ねじ部９６自体の形状及び寸法は、本考案に係る木ねじ１のねじ部１７とほぼ同じである。
【００３９】
これら２種類の木ねじ１、９を、図３に示すように、壁下地材３１がない場合とある場合とを想定して、以下の２種類の材料に５本ずつ略等間隔で締結し、締結開始から締結終了までの作業トルクの変位をトルクアナライザーを用いて測定した。
締結材料Ａ（壁下地材３１がない場合）：キャビネット背板２＋石膏ボード３２
締結材料Ｂ（壁下地材３１がある場合）：キャビネット背板２＋石膏ボード３２＋合板３５
【００４０】
キャビネット背板２には、厚さ２．５ｍｍの高圧メラミン化粧合板からなる化粧板２３のウラ側に厚さ１５ｍｍのパーティクルボード（木質基板２１）を張り重ねたものを使用した。
【００４１】
石膏ボード３２には、ＪＩＳ  Ａ６９０１：２０１４に規定された、厚さ１２．５ｍｍの「せっこうボード（ＧＢ−Ｒ）」（不燃認定：ＮＭ−８６１９またはＮＭ−８６１２）に該当する製品を使用した。
【００４２】
壁下地材３１となる合板３５には、ＪＡＳ規格の２類２等に該当する、厚さ１２ｍｍの普通ラワン合板を使用した。
【００４３】
締結材料Ａおよび締結材料Ｂに対する各木ねじ１、９（試料番号を丸数字１〜５で付す）の、ねじ込みトルク（作業トルク）、目標締付トルク（締結完了トルク）、締付破壊トルク（頭部１２着座後の空転トルク）を、表１および表２にまとめて示す。また、締結材料Ａおよび締結材料Ｂに対する各木ねじ１、９のトルク変位曲線を同種５本ずつ平均したグラフを、図４および図５にそれぞれ示す。
【００４４】
【表１】
0003215000.tif 000003
【００４５】
【表２】
0003215000.tif 000004
【００４６】
これらの試験結果から把握されるように、壁下地材３１がある場合（表２、図５）は、本考案の木ねじ１および従来の木ねじ９ともに、締結過程の中間段階で３．０Ｎ・ｍ程度以上のねじ込みトルクを生じ、着座直後には４．０Ｎ・ｍ以上の締付けトルクをもって締結作業を終えることができる。ただし、本考案に係る木ねじ１のほうが、従来の木ねじ９よりも、ねじ込み過程の略全体にわたって１割程度、ねじ込みトルクを低減させることができるので、作業効率は従来よりも若干、向上する。
【００４７】
一方、壁下地材３１がない場合（表１、図４）は、本考案の木ねじ１および従来の木ねじ９ともに、締結過程の早い段階でねじ込みトルクのピークを迎え、その値は壁下地材３１がある場合の２／３程度になる。ただし、従来の木ねじ９では、壁下地材３１がなくても、着座直後にねじ込みトルクが再び大きく上昇して、締付破壊トルクが３．０Ｎ・ｍ超まで増大する。この値は、壁下地材３１がある場合の、中間段階でのねじ込みトルクに近い値である。つまり、従来の木ねじ９は、壁下地材３１がなくても、壁下地材３１がある場合の中間段階における通常のねじ込みトルク近辺では空転しないので、壁下地材３１から外れていたとしても、そのことに作業者が気付きにくい。これに対し本考案の木ねじ１は、壁下地材３１がない場合は２．５Ｎ・ｍ近辺で空転を生じるので、壁下地材３１から外れていることに気付きやすい。
【００４８】
これらの比較結果により、本考案に係る木ねじ１を用いた場合には、従来の木ねじ９に比べてねじ込み作業全体の作業性が向上することに加え、ねじ部１７が壁下地材３１に対して確実に締結されているか否かの判別が容易になることが検証された。
【００４９】
なお、本考案の技術的範囲は、例示した実施の形態によって限定的に解釈されるべきものではなく、実用新案登録請求の範囲の記載に基づいて概念的に解釈されるべきものである。本考案の実施に際しては、例示した形態と実質的に同様の作用効果が得られる範囲において、木ねじ１各部の寸法や形状を多少、改変しても差し支えない。
【００５０】
また、本考案に係る木ねじによるキャビネット等の固定構造についても、キャビネット等の背板を構成する部材、および壁面を構成する部材の種類、材質、厚さ等を適宜改変することはもちろん可能である
【符号の説明】
【００５１】
１  木ねじ
１１  軸部
１２  頭部
１３  首下部
１４  円筒部
１５  ローレット部
１６  不完全ねじ部
１７  ねじ部
１７１  第一ねじ山
１７２  第二ねじ山
１８  切り刃
１９  尖り先部
２  背板
２１  木質基板
２３  化粧板
３１  壁下地材
３２  石膏ボード
３４  間柱
３５  合板
３６  クロス
【図１】
0003215000.tif 000005
【図２】
0003215000.tif 000006
【図３】
0003215000.tif 000007
【図４】
0003215000.tif 000008
【図５】
0003215000.tif 000009
【図６】
0003215000.tif 000010
【図７】
0003215000.tif 000011
【手続補正書】
【提出日】平成29年12月20日(2017.12.20)
【手続補正１】
【補正対象書類名】実用新案登録請求の範囲
【補正対象項目名】請求項２
【補正方法】変更
【補正の内容】
【請求項２】
キャビネットの背板を壁面に当接させ、前記背板のオモテ側から壁内の壁下地材に木ねじをねじ込んで固定するキャビネットの固定構造において、
前記背板は、合板、パーティクルボード、ＭＤＦ等からなる木質基板のオモテ面に、前記木質基板よりも表面硬度が高い化粧板を張り重ねて形成され、
前記木ねじは、軸部と、その一端に設けられた頭部と、を有し、
前記頭部は、座面の外周側が平坦に形成されるとともに、座面の中央部がラッパ状の首下部を介して軸部に接続され、
前記軸部は、
前記首下部に連続する、ねじ山のない円筒部と、
前記円筒部の先端側に連続する、平目のローレット溝が形成されたローレット部と、
前記ローレット部の先端側に微少な不完全ねじ部を介して連続するねじ部と、
を有して、
前記ねじ部は、大径の第一ねじ山と小径の第二ねじ山とからなる二条ねじが前記軸部の全長の過半部分にわたって形成されるとともに、その先端には切り刃を有する尖り先部が形成され、
前記ローレット部が、前記第一ねじ山の外径よりも小径で、前記第二ねじ山および前記円筒部の外径よりも大径であり、かつ、前記円筒部よりも短寸となるように形成されてなり、
前記木ねじの頭部が前記背板のオモテ面に着座した状態で、
前記ねじ部が前記背板を通り抜けて前記壁下地材に締結されているとともに、
前記ローレット部が前記背板と前記壁面との当接面を超えない位置に保持されている
ことを特徴とするキャビネットの固定構造。
【手続補正３】
【補正対象書類名】明細書
【補正対象項目名】０００１
【補正方法】変更
【補正の内容】
【０００１】
本考案は、主として流し台や洗面化粧台等のキャビネットを壁面に固定するために用いられる木ねじと、その木ねじを用いたキャビネットの固定構造に関する。
【手続補正４】
【補正対象書類名】明細書
【補正対象項目名】００１０
【補正方法】変更
【補正の内容】
【００１０】
あわせて本考案は、かかる木ねじの特性を好適に活かしてキャビネットを壁面にしっかりと固定するための固定構造を提供するものである。
【手続補正５】
【補正対象書類名】明細書
【補正対象項目名】００１３
【補正方法】変更
【補正の内容】
【００１３】
また、本考案に係るキャビネットの固定構造は、壁面に当接させたキャビネットの背板のオモテ側から、壁内の壁下地材に向けて前述の構成に係る木ねじをねじ込んで固定するキャビネットの固定構造であって、前記木ねじの頭部が前記背板のオモテ面に着座した状態で、前記ねじ部が前記背板を通り抜けて前記壁下地材に締結されているとともに、前記ローレット部が前記背板と前記壁面との当接面を超えない位置に保持されている、ものとして特徴づけられる。
【手続補正６】
【補正対象書類名】明細書
【補正対象項目名】００１４
【補正方法】変更
【補正の内容】
【００１４】
この構成によれば、背板にねじ込まれた木ねじのねじ部が背板を通り抜け、その先端が壁面の表層を構成する石膏ボード等の壁材から、間柱、胴縁、合板、軽量鉄骨製スタッド等からなる壁下地材へと進入するあたりで、木ねじのローレット部が背板に形成されたねじ孔をさらに削って拡径する。ローレット部は、従来の木ねじに比べて短く形成されており、ローレット部の後方（頭部側）はローレット部よりも小径の円筒部となされているので、ローレット部によって拡径されたねじ孔と、ローレット部よりも頭部側の部分との摩擦抵抗が小さくなって、１本の木ねじのねじ込み過程における後半のねじ込みトルクが従来よりも低減される。これにより、ねじ部の締結力が壁下地材に対して集中的に作用することとなり、キャビネットの背板に表面硬度の高い材料が用いられている場合でも、作業者は、ねじ部が支持材に対して確実に締結されている手応えを得ることができるようになる。そして、木ねじの頭部が背板のオモテ面に着座した状態では、ねじ部が壁下地材にしっかりと食い付くとともに、ローレット部が背板と壁面との当接面を超えない位置で止まるので、壁面側のねじ孔を必要以上に拡径することなく、ねじ止め作業を完了することができる。その結果、キャビネットが良好な保持力をもって壁面にしっかりと固定される。
【手続補正７】
【補正対象書類名】明細書
【補正対象項目名】００１６
【補正方法】変更
【補正の内容】
【００１６】
また、本考案のキャビネットの固定構造によれば、前述の作用によって、ねじ部が壁下地材に確実に締結されるので、背板に表面硬度の高い材料が用いられているキャビネットでも、壁面にしっかりと固定される。
【手続補正８】
【補正対象書類名】明細書
【補正対象項目名】００２６
【補正方法】変更
【補正の内容】
【００２６】
＜キャビネットの固定構造＞
図２は、前述した木ねじ１を用いてキャビネットを壁面に固定する場合の固定構造を示している。
【手続補正９】
【補正対象書類名】明細書
【補正対象項目名】００５０
【補正方法】変更
【補正の内容】
【００５０】
また、本考案に係る木ねじによるキャビネットの固定構造についても、キャビネットの背板を構成する部材、および壁面を構成する部材の種類、材質、厚さ等を適宜改変することはもちろん可能である